(57)【要約】【課題】  あらかじめプリント用紙に貼り合わせた情報保護紙の上から機密保護を要する情報をプリントするようにしたプリント用紙の薄い情報保護紙を容易に分離が行えるようにする。【解決手段】本発明は、滑り剤であるワックス、シリコンを含有したインキ、またはニスをサーマルプリント用感熱紙のプリントパターンの側面の端部の後方に塗布した後に、情報保護紙をプリンタ貼り合わせることにより、情報保護紙をサーマルプリント用紙より容易に剥すことが可能な構成を実現したものである【選択図】              図１
2010110928.tif 000002
【特許請求の範囲】
【請求項１】
滑り剤であるワックス、シリコンを含有したインキ、またはニスが用紙のプリントパターンの側面の端部の後方に塗布されたサーマルプリント用紙と、
該サーマルプリント用紙の上層の全面に走行に支障がない貼り合せ強度で貼り合わされた隠蔽性を持った情報保護紙よりなり、
プリントパターンの側面の端部の滑り剤であるワックス、シリコンを含有したインキ、またはニスが塗布された部分の情報保護紙とサーマルプリント用紙が接着されない部分より情報保護紙をサーマルプリント用紙より容易に剥すことが可能な構成を持ったことを特徴とする情報保護機能を持ったサーマルプリント用紙。
【請求項２】
滑り剤であるワックス、シリコンを含有したインキ、またはニスが用紙のプリントパターンの側面の端部の後方に塗布された隠蔽性を持った情報保護紙と、
該隠蔽性を持った情報保護紙が用紙の上層の全面に走行に支障がない貼り合せ強度で貼り合わされたサーマルプリント用紙よりなり、
プリントパターンの側面の端部の滑り剤であるワックス、シリコンを含有したインキ、またはニスが塗布された部分の情報保護紙とサーマルプリント用紙が接着されない部分より情報保護紙をサーマルプリント用紙より容易に剥すことが可能な構成を持ったことを特徴とする情報保護機能を持ったサーマルプリント用紙。
【請求項３】
請求項１乃至請求項２において、
プリントパターンの側面の端部の滑り剤であるワックス、シリコンを含有したインキ、またはニスが塗布された部分の情報保護紙に切欠きを設け、該切欠きを使用してプリントパターンの側面の端部の滑り剤であるワックス、シリコンを含有したインキ、またはニスが塗布された部分の情報保護紙とサーマルプリント用紙が接着されない部分より情報保護紙をサーマルプリント用紙より容易に剥すことが可能な構成を持ったことを特徴とする情報保護機能を持ったサーマルプリント用紙。
【請求項４】
請求項１乃至請求項２において、
走行に支障がない貼り合せ強度で貼り合わされた情報保護紙とサーマルプリント紙のプリントパターンの一枚ごとの境目にミシン目が入れられた構成を持ったことを特徴とする機密保護を要する情報のプリントを行うための情報保護機能を持ったプリント用紙。
【請求項５】
請求項１乃至請求項２において、
滑り剤であるワックス、シリコンを含有のインキ、またはニスが用紙のプリントパターンの側面の端部だけでなく、用紙搬送方向に対して平行にストライプ状に塗布することにより情報保護紙をサーマルプリント用紙より容易に剥すことが可能な構成を持ったことを特徴とする情報保護機能を持ったサーマルプリント用紙。
【請求項６】
請求項１乃至請求項２において、
情報保護紙とサーマルプリント用紙を走行に支障がない貼り合せ強度で貼り合わせる接着層を用紙搬送方向に対して平行にストライプ状設けることにより、情報保護紙をサーマルプリント用紙より容易に剥すことが可能な構成を持ったことを特徴とする情報保護機能を持ったサーマルプリント用紙。
【発明の詳細な説明】
【技術分野】
【０００１】
本発明は、機密保護を要する情報のプリントを行うための情報保護機能を持ったサーマルプリント用紙に関するものである。
本発明の情報保護機能を持ったサーマルプリント用紙は、あらかじめサーマルプリント用紙に接着剤により貼り合わせた情報保護紙の上から直接機密保護を要する情報をプリント出来るようにしたサーマルプリント用紙の情報保護紙が剥がし易い加工を行ったものである。
【背景技術】
【０００２】
ガス、水道、電力等の使用量等の各種の個人情報を現場でプリントして帳票としてユーザーに配布するサービスが行われているが、帳票のぞき見や作業者による不正使用などの個人情報の漏洩の問題がある。
このような情報の漏洩の問題に対処するための各種の方法が実用化されている。
例えば、情報保護機能を持たせたはがきは、あらかじめ個人情報がプリントされたはがきの領域に、この領域をカバーする情報保護紙を貼り付けることにより個人情報を隠蔽するようにした方法である。
この場合、情報保護紙を剥がすために、情報保護紙の角部の近傍に、一部を切り取って段差つけたり粘着剤糊抜きとした組み合わせを行い『ここから開封してください』といった注意文言を明記し、確実にこの部分から情報保護紙を剥がさせる方法を採用している。
情報保護紙を剥がさせる加工方法には、２枚の重なり合った用紙の一部に段差をつけたり、粘着剤により貼り合せた用紙（シールラベル）に、カス上げ（抜型により用紙の内の１枚のみに加工して不要な部分を巻取り等により排除）、糊殺し加工（粘着剤の塗布された面に印刷を行い、粘着力を無くす事）して剥離の切掛けを作る方法が実施されている。
【０００３】
【特許文献１】特願２００６−２３９９４１  号公報
【特許文献２】特願２００７−０６５０８９  号公報
【特許文献３】特願平１１−３４７０１４
【特許文献４】特願平１１−３７１０３６
【発明の開示】
【発明が解決しようとする課題】
【０００４】
ガス、水道、電力等の使用量等の各種の個人情報を現場でプリントして帳票としてユーザーに配布するサービスに使用されるサーマルプリント用紙において、情報保護紙の貼り付けの手間を省くために、あらかじめプリント用紙に貼り合わせた情報保護紙の上から直接機密保護を要する情報をプリントする方法が試みられているが、プリントの精度を保つために情報保護紙をと薄くすることが必要であるため、上記のはがきのような加工が困難であった。
本発明の目的は、あらかじめプリント用紙に貼り合わせた情報保護紙の上から機密保護を要する情報をプリントするようにした情報保護機能を持ったサーマルプリント用紙の薄い情報保護紙を剥離する作業が容易に行うことが出来る情報保護機能を持ったサーマルプリント用紙を提供することにある。
【課題を解決するための手段】
【０００５】
本発明は、滑り剤であるワックス、シリコンを含有したインキ、またはニスを情報保護紙の一部、またはサーマルプリント用感熱紙のプリントパターンの側面の端部の後方に塗布しておき、プリント用紙の上層の全面に隠蔽性を持った情報保護紙をプリンタ印字による走行に支障がない貼り合せ強度で貼り合わせることにより、プリントパターンの側面の端部の滑り剤であるワックス、シリコンを含有したインキ、またはニスが塗布された部分の情報保護紙とサーマルプリント用紙が接着されない部分より情報保護紙をサーマルプリント用紙より容易に剥すことが可能な構成を持った情報保護機能を持ったサーマルプリント用紙を実現することにより問題を解決したものである。
本発明の情報保護機能を持ったサーマルプリント用紙は、滑り剤であるワックス、シリコンを含有したインキ、またはニスが塗布された部分の情報保護紙とサーマルプリント用紙が接着されない部分を剥離の切掛けとして容易に情報保護紙とプリント用紙との分離を容易に行うことを可能にしたものである。
【発明の効果】
【０００６】
本発明の情報保護機能を持ったサーマルプリント用紙は、滑り剤であるワックス、シリコンを含有したインキ、またはニスが塗布された部分の情報保護紙とサーマルプリント用紙が接着されない部分を剥離の切掛けとして容易に情報保護紙とプリント用紙との分離を容易に行うことを可能にしたものである。
又、本発明の情報保護機能を持ったサーマルプリント用紙は、情報保護紙に設けた切欠き印字方向に逆らわない方向に頂点が配置され印字走行に支障ないような構造となっているので、プリンタ内部で情報保護紙とプリント用紙の剥がれが発生しにくく、発生してもジャムらない設計となっており、剥がし時の情報保護紙の粘着剤による張力反発で筒状に丸まりコンパクト化されるので各家庭のごみ箱へ廃棄することが出来、又、小巻ロールの場合にはより剥がし易くなる特徴を持っている。
【発明を実施するための最良の形態】
【０００７】
図１は本発明の情報保護機能を持ったプリント用紙の構成の一例を示す説明図である。図１において、（ａ）は情報保護紙が貼り合わせられた状態の本発明の情報保護機能を持ったロール記録紙や折り畳み記録紙などの連続帳票のサーマルプリント用紙の構成の一例を示す説明図で（ｂ）は本発明の情報保護機能を持ったプリント用紙の断面の構成を示す説明図である。
図１の（ａ）（ｂ）において、１０は隠蔽性を持った情報保護紙、２０はサーマルプリント用紙である。
情報保護紙１０は、情報保護紙１０の上からサーマルプリント用紙２０に確実にプリントするためにその厚みが２０〜５０μのものが使用される。
３０は滑り剤であるワックス、シリコンを含有のインキ、またはニスである。
４０はサーマルプリント用紙２０と情報保護紙１０とを貼り合わせる粘着層、５０は情報保護紙１０に設けられた切欠きである。６０はプリントパターンの一枚ごとの境目入れられたミシン目である。
【０００８】
ミシン目６０は、プリント済みの帳票を切り離し易くするために情報保護紙１０とサーマルプリント用紙２０のプリントパターンの一枚ごとの境目に入れられている。
サーマルプリント用紙２０には最初に、滑り剤であるワックス、シリコンを含有のインキ、またはニス３０が、図１の（ａ）に３０に示す一枚ごとの用紙のプリントパターンの側面の端部の後方の位置に塗布される。
その後、サーマルプリント用紙２０と情報保護紙１０とは、粘着層４０により印字による走行に支障がなく、印字した後、サーマルプリント用紙２０と情報保護紙１０の貼り合せ層の間で剥すことが可能である貼り合せ層強度で貼り合わされる。
滑り剤であるワックス、シリコンを含有のインキ、またはニス３０が塗布された部分では、サーマルプリント用紙２０と情報保護紙１０とが粘着層４０により接着されないので、印字した後、、情報保護紙１０を容易に剥すことが可能である。
【０００９】
プリント用紙２０とその上に貼り合わされた情報保護紙１０には、従来のサーマルプリント用紙等と同様に、プリント済みの帳票を切り離し易くするためにプリントパターンの一枚ごとの境目にミシン目６０入れられているので、プリント後に境目のミシン目６０より切り離すことにより単票のプリント用紙を得ることが出来る。
プリントの行われたプリント用紙２０接着されている情報保護紙１０を剥す場合には、プリントパターンの側面の端部の滑り剤であるワックス、シリコンを含有したインキ、またはニスが塗布されれて、情報保護紙１０とサーマルプリント用紙２０が接着されない部分３０の端部を掴み、情報保護紙１０サーマルプリント用紙２０より容易に剥すことが可能である。
情報保護紙１０をプリント用紙２０から剥離させると、情報保護紙１０に付着している粘着剤による張力反発で筒状に丸まりコンパクト化されるので破棄が容易にが出来る。
【００１０】
サーマルプリント用紙２０は情報保護紙１０の上からプリンタヘットの加熱が行われても、情報保護紙１０に厚み２０〜５０μのものを使用すれば高感度のものを使用することにより、通常の目視で文字判読できる印字品質のプリントを行うことが可能であることが確認されている。
隠蔽性を持った情報保護紙１０は、色紙のように紙に染料を混ぜたものや紙に印刷インキで印刷を施したものを利用することにより隠蔽性を持たせることが出来る。染料を混ぜる方式やインキを印刷する方式については限定されるものではなく、隠蔽性をもたすことができるものであれば良い。一般的に隠蔽するための色相は黒色が望ましい。感熱紙や感圧紙の発色濃度より高い濃度が得られる染料又は印刷インキであることが望ましい。
【００１１】
図２は本発明の情報保護機能を持ったプリント用紙の構成の他の実施例を示す説明図である。図１において、（ａ）は情報保護紙が貼り合わせられた状態の本発明の情報保護機能を持ったロール記録紙や折り畳み記録紙などの連続帳票のサーマルプリント用紙の構成の一例を示す説明図で（ｂ）は本発明の情報保護機能を持ったプリント用紙の断面の構成を示す説明図である。
図２において、図１と同一の部分には同一の符号を付けてその説明を省略する。
図２は、情報保護紙１０に滑り剤であるワックス、シリコンを含有のインキ、またはニス３０がを塗布した実施例で、その他の構成は図１と同様である。
情報保護紙１０には最初に、滑り剤であるワックス、シリコンを含有のインキ、またはニス３０が、図２の（ａ）の３０に示す位置に、プリントパターンの一枚ごとの用紙の端部に塗布される。
その後、サーマルプリント用紙２０と情報保護紙１０とは、印字による走行に支障がないような貼り合せ層強度で接着される。
図２の実施例においても、図１の実施例と同様に、滑り剤であるワックス、シリコンを含有のインキ、またはニス３０が塗布された部分では、サーマルプリント用紙２０と情報保護紙１０とが接着されないので、印字した後、、情報保護紙１０を容易に剥すことが可能である。
【００１２】
図３は本発明の情報保護機能を持ったプリント用紙の他の実施例を示す説明図である。
図３において、（ａ）は、サーマルプリント用紙に情報保護紙をが貼り合わせる粘着層と滑り剤であるワックス、シリコンを含有のインキ、またはニスの構成を示す説明図で、（ｂ）は図３の情報保護機能を持ったプリント用紙の断面の構成を示す説明図である。
図３においても、図１と同一の部分には同一の符号を付けてその説明を省略する。
図３の実施例は、印字した後、、サーマルプリント用紙から情報保護紙１０をより容易に剥すことが可能な構成を示したものである。
図３の実施例においては、サーマルプリント用紙２０に最初に、塗布される滑り剤であるワックス、シリコンを含有のインキ、またはニス３０が、図１の（ａ）に３０に示す位置だけてなく、サーマルプリント用紙２０の全面にストライプ状に塗布される。
【００１３】
その後、サーマルプリント用紙２０と情報保護紙１０とは、印字による走行に支障がないような貼り合せ層強度で接着される。
図３の実施例においては、滑り剤であるワックス、シリコンを含有のインキ、またはニス３０が塗布された部分では、サーマルプリント用紙２０と情報保護紙１０とが接着されないので、印字した後、、情報保護紙１０をサーマルプリント用紙２０より容易に剥すことが可能になる。
尚、図３の実施例では、滑り剤であるワックス、シリコンを含有のインキ、またはニス３０を図１の実施例と同様にサーマルプリント用紙２０に塗布する例について説明したが、滑り剤であるワックス、シリコンを含有のインキ、またはニス３０は、図２の実施例と同様に情報保護紙１０に塗布することも可能である。
【００１４】
図４は、本発明の情報保護機能を持ったプリント用紙の他の実施例を示す説明図である。
図４において、（ａ）は、サーマルプリント用紙に情報保護紙をが貼り合わせる粘着層と滑り剤であるワックス、シリコンを含有のインキ、またはニスの構成を示す説明図で、（ｂ）は図４の情報保護機能を持ったプリント用紙の断面の構成を示す説明図である。
図４においても、図１と同一の部分には同一の符号を付けてその説明を省略する。
図４の実施例は、印字した後、サーマルプリント用紙と情報保護紙とをより容易に剥すことが可能な構成を示したものである。
図４の実施例においては、図１と同様に、最初にサーマルプリント用紙２０には滑り剤であるワックス、シリコンを含有のインキ、またはニス３０が、図４の（ａ）に３０に示す位置に塗布される。
【００１５】
その後、情報保護紙１０とサーマルプリント用紙２０を貼り合わせる粘着層４０が、図４の（ａ）に４０に示すようにサーマルプリント用紙２０の全面に接着層をストライプ状に抜いた状態に設けられる。
この後、サーマルプリント用紙２０と情報保護紙１０とは、印字による走行に支障がないような貼り合せ層強度で接着される。
図４の実施例においては、粘着層４０がストライプ状に設けた部分たけでサーマルプリント用紙２０と情報保護紙１０とが接着されているので、印字した後、情報保護紙１０をサーマルプリント用紙２０より容易に剥すことが可能になる。
尚、図４の実施例では、滑り剤であるワックス、シリコンを含有のインキ、またはニス３０を図１の実施例と同様にサーマルプリント用紙２０に塗布する例について説明したが、滑り剤であるワックス、シリコンを含有のインキ、またはニス３０は、図２の実施例と同様に情報保護紙１０に塗布することも可能である。
【００１６】
図５は、滑り剤であるワックス、シリコンを含有したインキ、またはニスを塗布する位置３０とプリント用紙の情報保護紙１０の切欠き５０の位置を決定するために行った、下記に示した、実施例１、２と比較例１,２,３に対する各種の試験の結果を示したものである。
実施例１、２と比較例１,２,３の資料の状態は次の通りである。
実施例１ :   滑り剤を塗布する位置３０と切欠き５０をプリントパターンの側面の端部の後方に配置した用紙
実施例２ ;   滑り剤を塗布する位置３０と切欠き５０をのプリントパターンの側面の端部の後方に配置してストライプ加工した用紙
比較例１ :    滑り剤を塗布する位置３０と切欠き５０をのプリントパターンの側面の端部の前方に配置した用紙
比較例２ :   滑り剤を塗布する位置３０をのプリントパターンの側面の端部の後方に配置した用紙
比較例３ :  切欠き５０をのプリントパターンの側面の端部の後方に配置した用紙
各種の試験の内容は次の通りである。
・プリンタ印字試験
プリンタ出力印字を行い、支障が無いことを確認
・剥がし廃棄作業の容易性
剥がした情報保護紙１０の廃棄の容易性を確認
・剥がし易さの試験
情報保護紙１０を切り込みから剥がすための容易性を確認
【００１７】
図５に示された実施例１、２と比較例１,２,３に対する各種の試験の結果より明らかなように、実施例２の滑り剤を塗布する位置３０と切欠き５０をのプリントパターンの側面の端部の後方に配置してストライプ加工した用紙と、実施例１の滑り剤を塗布する位置３０と切欠き５０をプリントパターンの側面の端部の後方に配置した用紙が、プリンタ印字、剥がし廃棄、剥がし易さの全てにおいて良好であることが確認された。
比較例の滑り剤を塗布する位置３０と切欠き５０をのプリントパターンの側面の端部の前方に配置した用紙は、剥がし廃棄、剥がし易さにおいて良好であるが、プリンタ印字時に紙破れが発生する問題があった。
比較例２ の滑り剤を塗布する位置３０をのプリントパターンの側面の端部の後方に配置した用紙は、プリンタ印字、剥がし廃棄において良好であるが、剥がし易さに問題があった。
比較例３ の切欠き５０をのプリントパターンの側面の端部の後方に配置した用紙は、プリンタ印字、剥がし廃棄において良好であるが、剥がし易さに問題があった。
上記の結果により、本発明の情報保護機能を持ったサーマルプリント用紙の構成が決定された。
【００１８】
以上の説明より明らかなように、本発明の情報保護機能を持ったサーマルプリント用紙は、滑り剤であるワックス、シリコンを含有したインキ、またはニスが塗布された部分の情報保護紙とサーマルプリント用紙が接着されない部分を剥離の切掛けとして容易に情報保護紙とプリント用紙との分離を容易に行うことを可能にしたものである。
又、本発明の情報保護機能を持ったサーマルプリント用紙は、情報保護紙に設けた切欠き印字方向に逆らわない方向に頂点が配置され印字走行に支障ないような構造となっているので、プリンタ内部で情報保護紙とプリント用紙の剥がれが発生しにくく、発生してもジャムらない設計となっており、剥がし時の情報保護紙の粘着剤による張力反発で筒状に丸まりコンパクト化されるので各家庭のごみ箱へ廃棄することが出来、又、小巻ロールの場合にはより剥がし易くなる。
【産業上の利用可能性】
【００１９】
本発明は、電力、ガス、水道、などの各種の検針作業の結果をお知らせ票または振込み票として携帯プリンタで現場でプリントを行っている業務で利用可能である。
【図面の簡単な説明】
【００２０】
【図１】本発明の情報保護機能を持ったプリント用紙の構成の一例を示す説明図である。
【図２】本発明の情報保護機能を持ったプリント用紙の構成の他の実施例を示す説明図である。
【図３】本発明の情報保護機能を持ったプリント用紙の他の実施例を示す説明図である。
【図４】本発明の情報保護機能を持ったプリント用紙の他の実施例を示す説明図である。
【図５】滑り剤であるワックス、シリコンを含有したインキ、またはニスを塗布する位置３０とプリント用紙の情報保護紙１０の切欠き５０の位置を決定するために行った、各種の試験の結果を示したものである。
【符号の説明】
【００２１】
１０・・・隠蔽性を持った情報保護紙
２０・・・サーマルプリント用紙
３０・・・滑り剤であるワックス、シリコンを含有のインキ、またはニス
４０・・・サーマルプリント用紙２０と情報保護紙１０とを貼り合わせる粘着層、
５０・・・情報保護紙１０に設けられた切欠
６０・・・プリントパターンの一枚ごとの境目入れられたミシン目
【図１】
2010110928.tif 000003
【図２】
2010110928.tif 000004
【図３】
2010110928.tif 000005
【図４】
2010110928.tif 000006
【図５】
2010110928.tif 000007